(57)【要約】  本願は、情報伝送方法及び装置を提供する。当該方法は、測定構成情報を決定するステップであって、前記測定構成情報が少なくとも1つの測定構成パラメータグループを含み、前記少なくとも1つの測定構成パラメータグループの各々が少なくとも1つのセルに対応し、端末装置によって前記少なくとも1つのセルの同期信号ブロックを測定するために使用される、ステップと、前記測定構成情報を前記端末装置に送信するステップと、を含む。本願における技術的ソリューションは、システム効率を改善することができる。
2020523925.tif 000002
【特許請求の範囲】
【請求項１】
情報伝送方法であって、
同期信号ブロック測定に使用される測定構成情報を決定するステップであって、前記測定構成情報は、測定構成パラメータ及び前記測定構成パラメータの適用可能なセルグループを含み、前記測定構成パラメータは、測定周期及び測定ウインドウを示すために使用される、ステップと、
前記測定構成情報を端末装置に送信するステップと、
を含む方法。
【請求項２】
情報伝送方法であって、
同期信号ブロック測定に使用される測定構成情報を受信するステップであって、前記測定構成情報が、測定構成パラメータと、前記測定構成パラメータの適用可能なセルグループとを含み、前記測定構成パラメータが、測定周期及び測定ウインドウを示すために使用される、ステップと、
前記測定構成情報に基づいて同期信号ブロックを測定するステップと、
を含む方法。
【請求項３】
情報伝送方法であって、
同期信号ブロック測定に使用される測定構成情報を決定するステップであって、前記測定構成情報は、少なくとも1つの測定構成パラメータグループを含み、前記少なくとも1つの測定構成パラメータグループは、少なくとも1つのセルグループに対して使用される、ステップと、
前記測定構成情報を端末装置に送信するステップと、
を含む方法。
【請求項４】
情報伝送方法であって、
ネットワーク装置によって送信される測定構成情報を受信するステップであって、前記測定構成情報は、少なくとも1つの測定構成パラメータグループを含み、前記少なくとも1つの測定構成パラメータグループは、少なくとも1つのセルグループに対して使用される、ステップと、
前記測定構成情報に基づいて同期信号ブロックを測定するステップと、
を含む方法。
【請求項５】
前記少なくとも1つの測定構成パラメータグループが、少なくとも1つのセルグループに対して使用されることは、
1つの測定構成パラメータグループが1つのセルグループに対して使用されること、
複数の測定構成パラメータグループが1つのセルグループに対して使用されること、又は、
1つの測定構成パラメータグループが複数のセルグループに対して使用されること、
を含む、請求項3又は4に記載の方法。
【請求項６】
前記1つの測定構成パラメータグループは、1つの測定周波数に対応する、請求項3〜5のいずれか一項に記載の方法。
【請求項７】
前記複数の測定構成パラメータグループは、1つの測定周波数に対応する、請求項3〜5のいずれか一項に記載の方法。
【請求項８】
前記1つの測定構成パラメータグループは、複数の測定周波数に対応する、請求項3〜5のいずれか一項に記載の方法。
【請求項９】
前記セルグループが1つ又は複数のセルを含む、請求項1〜8のいずれか一項に記載の方法。
【請求項１０】
前記複数のセルの間の同期信号バーストセットに対応する時間領域リソースの偏差が閾値を超えない、請求項9に記載の方法。
【請求項１１】
前記測定構成パラメータは、前記測定ウインドウの時間位置、前記測定ウインドウの期間、及び前記測定周期を含む、請求項1〜10のいずれか一項に記載の方法。
【請求項１２】
前記測定構成パラメータは、前記測定ウインドウの開始時間、前記測定ウインドウの期間、及び前記測定周期を含む、請求項1〜10のいずれか一項に記載の方法。
【請求項１３】
前記測定構成パラメータは、前記測定ウインドウとサービングセルのタイミングとの間の時間差、期間、及び前記測定周期、を含む、請求項1〜10のいずれか一項に記載の方法。
【請求項１４】
前記測定構成パラメータは、測定ギャップをさらに含み、異なる測定ギャップは、異なる測定周波数に対応する、請求項1〜13のいずれか一項に記載の方法。
【請求項１５】
前記測定構成パラメータは、セルの同期信号ブロックの伝送パラメータと関連付けられる、請求項1〜14のいずれか一項に記載の方法。
【請求項１６】
前記測定ウインドウは、セルの同期信号バーストセットに対応する時間領域リソースに関連付けられる、請求項1〜14のいずれか一項に記載の方法。
【請求項１７】
前記測定周期は、セルの同期信号バーストセット周期に関連付けられる、請求項1〜16のいずれか一項に記載の方法。
【請求項１８】
前記測定周期は、前記セルグループ内のセルの同期信号バーストセット周期の公倍数、又は、前記セルグループ内のセルの同期信号バーストセット周期の最大値である、請求項1〜17のいずれか一項に記載の方法。
【請求項１９】
情報伝送方法であって、
測定構成情報を決定するステップであって、前記測定構成情報は、少なくとも1つの測定構成パラメータグループを含み、前記少なくとも1つの測定構成パラメータグループのそれぞれは、少なくとも1つのセルに対応し、端末装置によって、前記少なくとも1つのセルの同期信号ブロックを測定するために使用される、ステップと、
前記測定構成情報を端末装置に送信するステップと、
を含む方法。
【請求項２０】
少なくとも1つのセルがセルグループである、請求項19に記載の方法。
【請求項２１】
各測定構成パラメータグループが、前記少なくとも1つのセルの同期信号ブロックの伝送パラメータに関連付けられる、請求項19又は20に記載の方法。
【請求項２２】
各測定構成パラメータグループは、前記測定ウインドウの時間位置、前記測定ウインドウの期間、及び前記測定周期のうちの少なくとも1つを含む、請求項1〜21のいずれか一項に記載の方法。
【請求項２３】
前記測定ウインドウは、前記少なくとも1つのセル内の各セルの少なくとも1つの同期信号バーストセットに対応する時間領域リソースをカバーし、及び／又は前記測定周期は、前記少なくとも1つのセルの同期信号バーストセット周期の公倍数若しくは前記少なくとも1つのセルの同期信号バーストセット周期の最大値である、請求項22に記載の方法。
【請求項２４】
各測定構成パラメータグループは、複数のセルに対応し、前記複数のセル間の同期信号バーストセットに対応する時間領域リソースの偏差は、閾値を超えない、請求項1〜23のいずれか一項に記載の方法。
【請求項２５】
前記少なくとも1つの測定構成パラメータグループは、1つの測定周波数に対応する、請求項1〜24のいずれか一項に記載の方法。
【請求項２６】
前記測定構成情報は、1つの測定構成パラメータグループを含み、前記1つの測定構成パラメータグループは、全ての測定周波数に対応する、請求項1〜24のいずれか一項に記載の方法。
【請求項２７】
前記測定構成情報は、複数の測定構成パラメータグループを含み、前記複数の測定構成パラメータグループにおける異なる測定構成パラメータグループは、異なる測定周波数に対応する、請求項1〜24のいずれか一項に記載の方法。
【請求項２８】
前記測定構成情報を前記端末装置に送信する前記ステップは、
共通シグナリングを用いて、前記測定構成情報を前記端末装置に送信するステップを含む、請求項1、3、及び5〜27のいずれか一項に記載の方法。
【請求項２９】
前記共通シグナリングが、物理ブロードキャストチャネルPBCH、残りのシステム情報RMSI、又は他のシステム情報OSIを含む、請求項28に記載の方法。
【請求項３０】
前記測定構成情報を前記端末装置に送信する前記ステップは、
専用シグナリングを用いて、前記測定構成情報を前記端末装置に送信するステップを含む、請求項1、3、5〜29のいずれか一項に記載の方法。
【請求項３１】
前記専用シグナリングを使用して送信される前記測定構成情報は、前記共通シグナリングを使用して送信される前記測定構成情報を更新するために使用される、請求項30に記載の方法。
【請求項３２】
測定構成情報を受信する前記ステップは、
共通シグナリングを使用して前記測定構成情報を受信するステップを含む、請求項2、4〜31のいずれか一項に記載の方法。
【請求項３３】
測定構成情報を受信する前記ステップは、
専用シグナリングを用いて、前記ネットワーク装置により送信される前記測定構成情報を受信するステップを含む、請求項2、4、5〜32のいずれか一項に記載の方法。
【請求項３４】
前記方法が、さらに、
前記専用シグナリングを使用して受信した前記測定構成情報に基づき、前記共通シグナリングを使用して受信した前記測定構成情報を更新するステップ、
を含む請求項33に記載の方法。
【請求項３５】
プロセッサとトランシーバとを含む情報伝送機器であって、
前記プロセッサは、同期信号ブロック測定に使用される測定構成情報を決定するように構成され、前記測定構成情報は、測定構成パラメータと、前記測定構成パラメータの適用可能なセルグループとを含み、前記測定構成パラメータは、測定周期及び測定ウインドウを示すために使用され、
前記トランシーバは、前記測定構成情報を端末装置に送信するように構成される、
機器。
【請求項３６】
プロセッサとトランシーバとを含む情報伝送機器であって、
前記トランシーバは、同期信号ブロック測定に使用される測定構成情報を受信するように構成され、前記測定構成情報は、測定構成パラメータと、前記測定構成パラメータの適用可能なセルグループとを含み、前記測定構成パラメータは、測定周期及び測定ウインドウを示すために使用され、
前記プロセッサは、前記測定構成情報に基づいて同期信号ブロックを測定するように構成される、
機器。
【請求項３７】
プロセッサとトランシーバとを含む情報伝送機器であって、
前記プロセッサは、同期信号ブロック測定に使用される測定構成情報を決定するように構成され、前記測定構成情報は、少なくとも1つの測定構成パラメータグループを含み、前記少なくとも1つの測定構成パラメータグループは、少なくとも1つのセルグループに対して使用され、
前記トランシーバは、前記測定構成情報を端末装置に送信するように構成される、
機器。
【請求項３８】
プロセッサとトランシーバとを含む情報伝送機器であって、
前記トランシーバは、ネットワーク装置によって送信される測定構成情報を受信するように構成され、前記測定構成情報は、少なくとも1つの測定構成パラメータグループを含み、前記少なくとも1つの測定構成パラメータグループは、少なくとも1つのセルグループに対して使用され、
前記プロセッサは、前記測定構成情報に基づいて同期信号ブロックを測定するように構成される、
機器。
【請求項３９】
前記少なくとも1つの測定構成パラメータグループが、少なくとも1つのセルグループについて使用されることは、
1つの測定構成パラメータグループが1つのセルグループに対して使用されること、
複数の測定構成パラメータグループが1つのセルグループに対して使用されること、又は、
1つの測定構成パラメータグループが複数のセルグループに対して使用されること、
を含む、請求項37又は38に記載の機器。
【請求項４０】
前記1つの測定構成パラメータグループは、1つの測定周波数に対応する、請求項37〜39のいずれか一項に記載の機器。
【請求項４１】
前記複数の測定構成パラメータグループは、1つの測定周波数に対応する、請求項37〜39のいずれか一項に記載の機器。
【請求項４２】
前記1つの測定構成パラメータグループは、複数の測定周波数に対応する、請求項37〜39のいずれか一項に記載の機器。
【請求項４３】
前記セルグループが1つ又は複数のセルを含む、請求項34〜42のいずれか一項に記載の機器。
【請求項４４】
前記複数のセルの間の同期信号バーストセットに対応する時間領域リソースの偏差が閾値を超えない、請求項43に記載の機器。
【請求項４５】
前記測定構成パラメータは、前記測定ウインドウの時間位置、前記測定ウインドウの期間、及び前記測定周期を含む、請求項34〜44のいずれか一項に記載の機器。
【請求項４６】
前記測定構成パラメータは、前記測定ウインドウの開始時間、前記測定ウインドウの期間、及び前記測定周期を含む、請求項34〜44のいずれか一項に記載の機器。
【請求項４７】
前記測定構成パラメータは、前記測定ウインドウとサービングセルのタイミングとの間の時間差、期間、及び前記測定周期、を含む、請求項34〜44のいずれか一項に記載の機器。
【請求項４８】
前記測定構成パラメータは、測定ギャップをさらに含み、異なる測定ギャップは、異なる測定周波数に対応する、請求項34〜47のいずれか一項に記載の機器。
【請求項４９】
前記測定構成パラメータは、セルの同期信号ブロックの伝送パラメータに関連付けられる、請求項34〜48のいずれか一項に記載の機器。
【請求項５０】
前記測定ウインドウは、セルの同期信号バーストセットに対応する時間領域リソースに関連付けられる、請求項34〜48のいずれか一項に記載の機器。
【請求項５１】
前記測定周期は、セルの同期信号バーストセット周期と関連付けられる、請求項34〜50のいずれか一項に記載の機器。
【請求項５２】
前記測定周期は、前記セルグループ内のセルの同期信号バーストセット周期の公倍数、又は、前記セルグループ内のセルの同期信号バーストセット周期の最大値である、請求項1〜51のいずれか一項に記載の機器。
【請求項５３】
プロセッサとトランシーバとを含む情報伝送機器であって、
前記プロセッサは、測定構成情報を決定するように構成され、前記測定構成情報は、少なくとも1つの測定構成パラメータグループを含み、前記少なくとも1つの測定構成パラメータグループのそれぞれは、少なくとも1つのセルに対応し、端末装置によって、前記少なくとも1つのセルの同期信号ブロックを測定するために使用され
前記トランシーバは、前記測定構成情報を前記端末装置に送信するように構成される、
機器。
【請求項５４】
前記少なくとも1つのセルがセルグループである、請求項53に記載の機器。
【請求項５５】
各測定構成パラメータグループは、前記少なくとも1つのセルの同期信号ブロックの伝送パラメータに関連付けられる、請求項53又は54に記載の機器。
【請求項５６】
各測定構成パラメータグループは、前記測定ウインドウの時間位置、前記測定ウインドウの期間、及び前記測定周期のうちの少なくとも1つを含む、請求項53〜55のいずれか一項に記載の機器。
【請求項５７】
前記測定ウインドウは、前記少なくとも1つのセル内の各セルの少なくとも1つの同期信号バーストセットに対応する時間領域リソースをカバーし、及び／又は前記測定周期は、前記少なくとも1つのセルの同期信号バーストセット周期の公倍数若しくは前記少なくとも1つのセルの同期信号バーストセット周期の最大値である、請求項56に記載の機器。
【請求項５８】
各測定構成パラメータグループは、複数のセルに対応し、前記複数のセル間の同期信号バーストセットに対応する時間領域リソースの偏差は、閾値を超えない、請求項53〜57のいずれか一項に記載の機器。
【請求項５９】
前記少なくとも1つの測定構成パラメータグループは、1つの測定周波数に対応する、請求項53〜58のいずれか一項に記載の機器。
【請求項６０】
前記測定構成情報は、1つの測定構成パラメータグループを含み、前記1つの測定構成パラメータグループは、全ての測定周波数に対応する、請求項53〜58のいずれか一項に記載の機器。
【請求項６１】
前記測定構成情報は、複数の測定構成パラメータグループを含み、前記複数の測定構成パラメータグループの異なる測定構成パラメータグループは、異なる測定周波数に対応する、請求項53〜58のいずれか一項に記載の機器。
【請求項６２】
前記測定構成情報を前記端末装置に送信することは、
共通シグナリングを用いて、前記測定構成情報を前記端末装置に送信することを含む、請求項35、37、39〜61のいずれか一項に記載の機器。
【請求項６３】
前記共通シグナリングは、物理ブロードキャストチャネルPBCH、残りのシステム情報RMSI、又は他のシステム情報OSIを含む、請求項62に記載の機器。
【請求項６４】
前記測定構成情報を前記端末装置に送信することは、
専用シグナリングを用いて、前記測定構成情報を前記端末装置に送信することを含む、請求項35、37、39〜63のいずれか一項に記載の機器。
【請求項６５】
前記専用シグナリングを使用して送信される前記測定構成情報は、前記共通シグナリングを使用して送信される前記測定構成情報を更新するために使用される、請求項64に記載の機器。
【請求項６６】
前記測定構成情報を受信することは、
共通シグナリングを使用して前記測定構成情報を受信することを含む、請求項36、38〜65のいずれか一項に記載の機器。
【請求項６７】
前記測定構成情報を受信することは、
専用シグナリングを用いて、前記ネットワーク装置により送信される前記測定構成情報を受信することを含む、請求項36、38〜66のいずれか一項に記載の機器。
【請求項６８】
前記専用シグナリングを使用して受信した前記測定構成情報に基づき、前記共通シグナリングを使用して受信した前記測定構成情報を更新する、請求項67に記載の機器。
【請求項６９】
コンピュータ記憶媒体であって、前記コンピュータ記憶媒体はプログラムコードを記憶し、前記プログラムコードは、請求項1〜34のいずれか一項に記載の方法を実行するように指示するために使用される、コンピュータ記憶媒体。
【請求項７０】
情報伝送機器であって、前記機器は、プロセッサと、トランシーバと、メモリとを含み、前記メモリは命令を記憶し、前記命令が前記プロセッサによって実行されると、前記機器が請求項1〜34のいずれか一項に記載の方法を実行するように構成される、機器。
【請求項７１】
チップであって、前記チップは、プロセッサとインターフェースとを含み、命令が前記プロセッサによって実行されると、前記チップが請求項1〜34のいずれか一項に記載の方法を実行するように構成される、チップ。
【請求項７２】
コンピュータプログラムプロダクトであって、前記コンピュータプログラムプロダクトは命令を含み、前記命令がコンピュータ上で実行されると、前記コンピュータが請求項1〜34のいずれか一項に記載の方法を実行する、コンピュータプログラムプロダクト。
【発明の詳細な説明】
【技術分野】
【０００１】
本願は、通信分野に関し、より具体的には、情報伝送方法及び装置に関する。
【背景技術】
【０００２】
既存のロングタームエボリューション(Long  Term  Evolution,  LTE)システムにおける無線リソース管理(Radio  Resource  Management,  RRM)法は、ダウンリンク信号ベースの測定方法を使用する。具体的には、ネットワーク装置は、ダウンリンク参照信号、例えば一定の時間周波数位置を有するセル固有の参照信号(Cell−specific  Reference  Signal,  CRS)を送信し、端末装置は、ネットワーク装置により送信されたCRSの参照信号受信電力(Reference  Signal  Received  Power,  RSRP)/参照信号受信品質(Reference  Signal  Received  Quality,  RSPQ)のような測定結果を測定し、該測定結果をネットワーク装置に報告する。その結果、ネットワーク装置は、端末装置のハンドオーバ及び移動を決定する。
【０００３】
前述のソリューションにおいて、ネットワーク側は、固定ダウンリンクCRS参照信号を頻繁に送信する必要がある。その結果、ネットワーク側のオーバーヘッドが過大となり、システム効率が影響を受ける。従って、このソリューションは、もはや5G新無線アクセス(New  Radio  Access,  NR)システムには適用できない。
【０００４】
従って、端末装置が効率的な測定を行うことができることを保証するために、NRに適用可能な技術的ソリューションが、システム効率を改善するために緊急に必要である。
【発明の概要】
【０００５】
本願は、システム効率を改善するための情報伝送方法及び機器を提供する。
【０００６】
第1の態様によると、情報伝送方法であって、測定構成情報を決定するステップであって、前記測定構成情報は、少なくとも1つの測定構成パラメータグループを含み、前記少なくとも1つの測定構成パラメータグループのそれぞれは、少なくとも1つのセルに対応し、端末装置によって、前記少なくとも1つのセルの同期信号ブロックを測定するために使用される、ステップと、前記測定構成情報を端末装置に送信するステップと、を含む方法が提供される。
【０００７】
本発明の本実施形態では、ネットワーク装置は、ネットワーク装置がダウンリンク参照信号を常に送信する必要がないように、端末装置に対して、同期信号ブロックを測定するための測定構成パラメータを構成する。これは、ネットワーク側のオーバーヘッドを削減し、システムの効率を改善することができる。
【０００８】
いくつかの可能な実装では、少なくとも1つのセルは、セルグループである。
【０００９】
いくつかの可能な実装では、各測定構成パラメータグループは、少なくとも1つのセルの同期信号ブロックの伝送パラメータに関連付けられる。
【００１０】
いくつかの可能な実装では、各測定構成パラメータグループは、測定ウインドウの時間位置、測定ウインドウの期間、及び測定周期のうちの少なくとも1つを含む。
【００１１】
いくつかの可能な実装では、測定周期は、少なくとも1つのセルの同期信号バーストセット周期に関連付けられてよく、測定ウインドウは、少なくとも1つのセルの同期信号バーストセットに対応する時間領域リソースに関連付けられてよい。
【００１２】
いくつかの可能な実装では、測定ウインドウの時間位置は、測定ウインドウの開始時間位置であってよく、特定の値は、測定ウインドウに対するサービングセルのタイミングの時間値であってよく、換言すれば、特定の値は、サービングセルのタイミングを参照することによって構成されてよい。
【００１３】
いくつかの可能な実装では、測定ウインドウは、少なくとも1つのセル内の各セルの少なくとも1つの同期信号バーストセットに対応する時間領域リソースをカバーし、及び／又は測定周期は、少なくとも1つのセルの同期信号バーストセット周期の公倍数、又は少なくとも1つのセルの同期信号バーストセット周期の最大値である。
【００１４】
いくつかの可能な実装では、測定周期は、少なくとも1つのセルの同期信号バーストセット周期の最小公倍数である。
【００１５】
いくつかの可能な実装では、各測定構成パラメータグループは、複数のセルに対応し、複数のセル間の同期信号バーストセットに対応する時間領域リソースの偏差は、閾値を超えない。
【００１６】
複数のセルの同期信号バーストセットに対応する時間領域リソースは、特定の範囲内で整列される。このようにして、測定ウインドウは、複数のセルの同期信号バーストセットに対応する時間領域リソースと整合し得る。
【００１７】
いくつかの可能な実装では、測定ウインドウの期間は、1つの同期信号バーストセットに対応する時間領域リソース長と、閾値の2倍と、の合計であってよい。
【００１８】
いくつかの可能な実装では、閾値は0.5msであってよい。
【００１９】
いくつかの可能な実装では、少なくとも1つの測定構成パラメータグループは、1つの測定周波数に対応する。
【００２０】
いくつかの可能な実装では、1つの測定構成パラメータグループが、1つの測定周波数で全てのセルに対して構成されてよい。
【００２１】
1つの測定周波数で全てのセルの同期信号バーストセットに対応する時間領域リソースは、特定の範囲内で整列され、換言すれば、異なるセル間の同期信号バーストセットに対応する時間領域リソースの偏差は、閾値を超えない。例えば、セルの同期信号バーストセットは、同じ時間範囲内にあるように制限される。このようにして、端末装置は、1つの測定ウインドウ内で測定周波数でセルに対する測定を完了し得る。
【００２２】
いくつかの可能な実装では、2つの測定構成パラメータグループが、1つの測定周波数で全てのセルに対して構成されてよい。例えば、1つの測定構成パラメータグループは、サービングセルのためのものであり、他の測定構成パラメータグループは、全ての隣接セルのためのものである。
【００２３】
いくつかの可能な実装では、複数の測定構成パラメータグループが、1つの測定周波数で全てのセルに対して構成されてよい。各測定構成パラメータグループは、セルグループに対応する。
【００２４】
いくつかの可能な実装では、測定構成情報は、1つの測定構成パラメータグループを含み、1つの測定構成パラメータグループは、全ての測定周波数に対応する。
【００２５】
全ての測定周波数におけるセルの同期信号バーストセットに対応する時間領域リソースは、特定の範囲内で整列され、換言すれば、異なるセルの間の同期信号バーストセットに対応する時間領域リソースの偏差は、閾値を超えない。例えば、セルの同期信号バーストセットは、同じ時間範囲内にあるように制限される。このようにして、端末装置は、1つの測定ウインドウ内の複数の測定周波数でセルに対する測定を完了し得る。
【００２６】
ネットワーク側が同期信号バーストセットの送信を制御し、端末装置が1つの測定ウインドウ内の複数のセルの測定を完了することができ、端末装置が頻繁に測定を行う必要がないようにする。これは、端末装置のオーバーヘッドを低減し、測定効率を改善する。
【００２７】
いくつかの可能な実装では、測定構成情報は、複数の測定構成パラメータグループを含み、複数の測定構成パラメータグループにおける異なる測定構成パラメータグループは、異なる測定周波数に対応する。
【００２８】
いくつかの可能な実装では、2つの測定構成パラメータグループが、全ての測定周波数に対して構成されてよい。例えば、1つの測定構成パラメータグループは、サービングセルのためのものであり、他の測定構成パラメータグループは、非サービング周波数のセルとサービング周波数の別のセルのためのものである。
【００２９】
いくつかの可能な実装では、異なる測定構成パラメータは、同じ測定周期及び測定ウインドウの異なる時間位置を有し得る。測定ウインドウの時間位置は、サービングセルのタイミングを参照することによって構成されてよい。
【００３０】
いくつかの可能な実装では、ネットワーク装置は、セルの測定ウインドウ及び測定周期に関する情報を(例えば、X2インターフェースを使用することによって)交換し、又はセルの同期信号ブロックの伝送パラメータ、例えば同期信号バーストセット周期及び同期信号バーストセットに対応する時間領域リソース位置を交換してよい。サービングネットワーク装置は、交換された情報に基づいて測定構成情報を決定する。
【００３１】
いくつかの可能な実装では、測定構成情報を端末装置に送信することは、共通シグナリングを用いて、測定構成情報を端末装置に送信することを含む。
【００３２】
いくつかの可能な実装では、共通シグナリングは、物理ブロードキャストチャネルPBCH、残りのシステム情報RMSI、又は他のシステム情報OSIを含む。
【００３３】
いくつかの可能な実装では、測定構成情報を端末装置に送信することは、専用シグナリングを用いて、測定構成情報を端末装置に送信することを含む。
【００３４】
いくつかの可能な実装では、専用シグナリングは、無線リソース制御RRC専用シグナリングを含む。
【００３５】
いくつかの可能な実装では、専用シグナリングを使用して送信される測定構成情報は、共通シグナリングを使用して送信される測定構成情報を更新するために使用される。
【００３６】
第2の態様によると、情報伝送方法であって、ネットワーク装置により送信される測定構成情報を受信するステップであって、前記測定構成情報は、少なくとも1つの測定構成パラメータグループを含み、前記少なくとも1つの測定構成パラメータグループのそれぞれは、少なくとも1つのセルに対応し、前記少なくとも1つのセルの同期信号ブロックを測定するために使用される、ステップと、前記測定構成情報に基づきセル測定を実行するステップと、を含む方法が提供される。
【００３７】
本発明の本実施形態では、ネットワーク装置は、ネットワーク装置がダウンリンク参照信号を常に送信する必要がないように、端末装置に対して、同期信号ブロックを測定するための測定構成パラメータを構成する。これは、ネットワーク側のオーバーヘッドを削減し、システムの効率を改善することができる。
【００３８】
いくつかの可能な実装では、少なくとも1つのセルは、セルグループである。
【００３９】
いくつかの可能な実装では、対応する測定ウインドウにおいて、端末装置は、対応するセルによって送信された同期信号バーストセット内のNR−SSS及び／又はSSブロック内のPBCH−DMRSに対してRSRP/RSPQ測定を実行し、測定結果をサービングセルに報告する。
【００４０】
いくつかの可能な実装では、各測定構成パラメータグループは、少なくとも1つのセルの同期信号ブロックの伝送パラメータに関連付けられる。
【００４１】
いくつかの可能な実装では、各測定構成パラメータグループは、測定ウインドウの時間位置、測定ウインドウの期間、及び測定周期のうちの少なくとも1つを含む。
【００４２】
いくつかの可能な実装では、測定ウインドウは、少なくとも1つのセル内の各セルの少なくとも1つの同期信号バーストセットに対応する時間領域リソースをカバーし、及び／又は測定周期は、少なくとも1つのセルの同期信号バーストセット周期の公倍数、又は少なくとも1つのセルの同期信号バーストセット周期の最大値である。
【００４３】
いくつかの可能な実装では、各測定構成パラメータグループは、複数のセルに対応し、複数のセルの間の同期信号バーストセットに対応する時間領域リソースの偏差は、閾値を超えない。
【００４４】
いくつかの可能な実装では、少なくとも1つの測定構成パラメータグループは、1つの測定周波数に対応する。
【００４５】
いくつかの可能な実装では、測定構成情報は、1つの測定構成パラメータグループを含み、1つの測定構成パラメータグループは、全ての測定周波数に対応する。
【００４６】
いくつかの可能な実装では、測定構成情報は、複数の測定構成パラメータグループを含み、複数の測定構成パラメータグループにおける異なる測定構成パラメータグループは、異なる測定周波数に対応する。
【００４７】
いくつかの可能な実装では、測定を行うとき、端末装置は、周波数シーケンスに従って、かつ周波数の測定ギャップを使用することによって、同じ周波数のセルに対して一度に測定を行い、周波数で測定を完了した後、別の周波数に切り替えてよい。また、端末装置は、時間シーケンスに従って異なる測定ウインドウ内のセルを測定してもよい。
【００４８】
ネットワーク側は同期信号バーストセットの送信を制御し、その結果、端末装置は1つの測定ウインドウ内で複数のセルの測定を完了でき、端末装置が頻繁に測定を行う必要がない。これは、端末装置のオーバーヘッドを低減し、測定効率を改善する。
【００４９】
いくつかの可能な実装では、ネットワーク装置によって送信される測定構成情報を受信することは、共通シグナリングを用いて、ネットワーク装置により送信された測定構成情報を受信することを含む。
【００５０】
いくつかの可能な実装では、共通シグナリングは、物理ブロードキャストチャネルPBCH、残りのシステム情報RMSI、又は他のシステム情報OSIを含む。
【００５１】
いくつかの可能な実装では、ネットワーク装置によって送信される測定構成情報を受信することは、専用シグナリングを用いて、ネットワーク装置により送信される測定構成情報を受信することを含む。
【００５２】
いくつかの可能な実装では、専用シグナリングは、無線リソース制御RRC専用シグナリングを含む。
【００５３】
いくつかの可能な実装では、本方法は、さらに、専用シグナリングを使用して受信した測定構成情報に基づき、共通シグナリングを使用して受信した測定構成情報を更新するステップを含む。
【００５４】
第3の態様によれば、プロセッサ及びトランシーバを含み、第1の態様又は第1の態様のいずれかの可能な実装における方法を実行するように構成される、情報伝送機器が提供される。
【００５５】
第4の態様によれば、プロセッサ及びトランシーバを含み、第2の態様又は第2の態様のいずれかの可能な実施形態における方法を実行するように構成される、情報伝送機器が提供される。
【００５６】
第5の態様によれば、コンピュータ記憶媒体が提供される。コンピュータ記憶媒体はプログラムコードを記憶し、プログラムコードは、第1の態様もしくは第2の態様、又は第1の態様もしくは第2の態様のいずれかの可能な実装における方法を実行するように指示するために使用されてよい。
【００５７】
第6の態様によれば、命令を含むコンピュータプログラムプロダクトが提供される。コンピュータプログラムプロダクトがコンピュータ上で実行すると、コンピュータは、第1の態様もしくは第2の態様、又は第1の態様もしくは第2の態様の可能な実施形態における方法を実行する。
【図面の簡単な説明】
【００５８】
【図１】本発明の一実施形態で使用されるシステムの概略図である。
【００５９】
【図２】本発明の一実施形態によるネットワークアーキテクチャの概略図である。
【００６０】
【図３】本発明の一実施形態による同期信号ブロックのリソース構造の概略図である。
【００６１】
【図４】本発明の一実施形態による情報伝送方法の概略フローチャートである。
【００６２】
【図５ａ】本発明の一実施形態による測定ウインドウ及び測定周期の概略図である。
【図５ｂ】本発明の一実施形態による測定ウインドウ及び測定周期の概略図である。
【図５ｃ】本発明の一実施形態による測定ウインドウ及び測定周期の概略図である。
【００６３】
【図６】本発明の一実施形態による情報伝送機器の概略ブロック図である。
【００６４】
【図７】本発明の他の実施形態による情報伝送機器の概略ブロック図である。
【発明を実施するための形態】
【００６５】
添付の図面を参照して、本願の技術的ソリューションを以下に記載する。
【００６６】
図1は、本発明の実施形態で使用されるシステムの概略図である。図1に示すように、システム100は、ネットワーク装置102及び端末装置104、106、108、110、112、及び17を含んでよい。ネットワーク装置と端末機器は、無線で接続される。図1は、一例として1つのネットワーク装置のみを示しているが、本発明の本実施形態は、それに限定されるものではないことを理解されたい。例えば、システムは、より多くのネットワーク装置をさらに含んでよい。同様に、システムは、より多くの端末装置も含んでよい。さらに、システムはネットワークとも呼ばれてよく、これは本発明の本実施形態において限定されないことを理解されたい。
【００６７】
本明細書は、端末装置を参照して実施形態を説明する。端末装置は、ユーザ装置（User  Equipment,  UE）、アクセス端末、加入者ユニット、加入者局、移動局、移動体コンソール、遠隔局、遠隔端末、移動体装置、ユーザ端末、端末、無線通信装置、ユーザエージェント、ユーザ機器などとも呼ばれてよい。アクセス端末は、セルラ電話、コードレス電話、セッション開始プロトコル(Session  Initiation  Protocol,  SIP)電話、無線ローカルループ（Wireless  Local  Loop,  WLL）局、パーソナルデジタルアシスタント(Personal  Digital  Assistant,  PDA)、無線通信機能を有するハンドヘルド装置、コンピューティング装置、無線モデムに接続された別の処理装置、車載装置、ウェアラブル装置、将来の5Gネットワーク内の端末装置、将来発展する公衆地上波モバイルネットワーク（Public  Land  Mobile  Network,  PLMN）内の端末装置などであってよい。
【００６８】
限定ではないが、例として、端末装置は、本発明の本実施形態におけるウェアラブル装置であってもよい。ウェアラブル装置は、ウェアラブルスマートデバイスとも呼ばれ、装着可能であり、メガネ、手袋、時計、衣服、靴など、日常身に付けるためのインテリジェント設計を行うためにウェアラブル技術を適用して開発されたデバイスの総称である。ウェアラブル装置は、身体に直接装着されるか、又は使用者の衣類又は付属品に組み込まれるポータブル装置である。ウェアラブル装置は、単なるハードウェアデバイスではなく、ソフトウェアサポート、データ交換、クラウドインタラクションを通じて強力な機能を実現する。広義のウェアラブルスマートデバイスには、スマートフォンに依存することなく機能の全部又は一部を実現できるスマートウオッチやスマートメガネなどの総合的な機能を有する大型のデバイスを含み、専用のアプリケーション機能のみを持ち、バイタルサインを監視する各種スマートバンドやスマートジュエリーなどのスマートフォンのような他の装置と連携する必要のある装置が含まれる。
【００６９】
本明細書は、ネットワーク装置を参照して実施形態を説明する。ネットワーク装置は、端末装置と通信するために使用される装置であってよく、ネットワーク装置は、移動体通信用グローバルシステム(Global  System  for  Mobile  Communications,  GSM)又は符号分割多重アクセス(Code  Division  Multiple  Access,  CDMA)における基地トランシーバ局(Base  Transceiver  Station,  BTS)であってよく、又は広帯域符号分割多重アクセス(Wideband  Code  Division  Multiple  Access,  WCDMA)における基地局(NodeB,  NB)であってよく、又はさらに、ロングタームエボリューション(Long  Term  Evolution,  LTE)における進化ノードB(Evolved  Node  B,  eNB又はeNodeB)であってよく、或いはさらに、クラウド無線アクセスネットワーク(Cloud  Radio  Access  Network,  CRAN)シナリオにおける無線コントローラであってよく、或いは、ネットワーク装置は、中継局、アクセスポイント、車載装置、ウェアラブル装置、将来の5Gネットワークにおけるネットワーク装置、将来の進化PLMNにおけるネットワーク装置などであってよい。
【００７０】
さらに、本発明の本実施形態では、ネットワーク装置は、セルに対してサービスを提供し、端末装置は、セルによって使用される送信リソース(例えば、周波数領域リソース又はスペクトルリソース)を使用することによって、ネットワーク装置と通信する。セルは、ネットワーク装置(例えば、基地局)に対応するセルであってよい。セルは、マクロ基地局に属してよく、又はスモールセル(small  cell)に対応する基地局に属してよい。スモールセルは、メトロセル（Metro  cell）、マイクロセル（Micro  cell）、ピコセル（Pico  cell）、フェムトセル（Femto  cell）などを含んでよい。これらのスモールセルは、小さなカバレッジ及び小さな送信電力を有し、高速データ伝送サービスに適用できる。さらに、セルはハイパーセル(Hypercell)であってよい。
【００７１】
一例として、図2は、本発明の実施形態において使用されるネットワークアーキテクチャの概略図である。ネットワークアーキテクチャ概略図は、次世代無線通信システムNRのネットワークアーキテクチャを示す。ネットワークアーキテクチャ概略図において、ネットワーク装置は、中央ユニット(Centralized  Unit,  CU)と複数の送信受信ポイント(Transmission  Reception  Point,  TRP)/分散ユニット(Distributed  Unit,  DU)に分類されてよく、換言すれば、ネットワーク装置の帯域幅ベースのユニット(Bandwidth  Based  Unit,  BBU)は、DU及びCU機能エンティティに再構成される。本発明の本実施形態では、中央ユニット及びTRP/DUの形態及び量は限定されないことに留意されたい。図2に示すネットワーク装置1及びネットワーク装置2は、それぞれ、異なる形態の中央ユニットに対応するが、それぞれの機能は影響を受けない。破線ボックス内の中央ユニット1及びTRP/DUはネットワーク装置1の構成要素であり、実線ボックス内の中央ユニット2及びTRP/DUはネットワーク装置2の構成要素であることが理解されよう。ネットワーク装置1及びネットワーク装置2は、NRシステムで使用されるネットワーク装置(又は基地局と称する)である。
【００７２】
CUは、無線上位レイヤプロトコルスタック機能、例えば、無線リソース制御(Radio  Resource  Control,  RRC)レイヤ、パケットデータコンバージェンスプロトコル(Packet  Data  Convergence  Protocol,  PDCP)レイヤなどの機能を処理し得る。CUはまた、エッジコンピューティングネットワークと呼ばれるアクセスネットワークへのいくつかのコアネットワーク機能の転送をサポートすることができる。CUは、ネットワーク遅延についての将来の通信ネットワークのより高い要件を満たすことができ、ビデオ、オンライン・ショッピング、及びバーチャル・リアリティ/拡張現実のような新しいサービスが、将来の通信ネットワークにおいてサポートされる。
【００７３】
DUは、主に物理レイヤ機能とレイヤ2機能を高いリアルタイム要件で処理し得る。無線遠隔ユニット(Radio  Remote  Unit,  RRU)とDUとの間の伝送リソースを考慮すると、DUのいくつかの物理レイヤ機能はRRUまで転送され得る。RRUの小型化開発に伴い、DUはRRUと一層根本的に組み合わせることができる。
【００７４】
CUは、集中化された方法で配備されてよい。DUの配備は、実際のネットワーク環境に依存する。DUは、中核市街地、又は交通密度が高く、駅間距離が小さく、大学や大規模会場のような設備室リソースの限られている地域に集中的に配置されてもよい。DUは、郊外地域や山岳地帯のように、交通密度が低く、駅間距離が長い地域に分散配置されてよい。
【００７５】
図2に示すS1−Cインターフェースは、ネットワーク装置とコアネットワークとの間の標準インターフェースであってよく、S1−Cに接続された特定の装置は図2には示されていない。
【００７６】
NRでは、固定された時間周波数位置のCRSはもはや適用可能ではない。さらに、高周波数NRシステムの指向性ビーム伝送に適応するために、NRシステムは、セルRSRP測定を行うために、複数のビーム方向で同期信号ブロック(Synchronization  Signal  block,  SS  block)を使用してよい。
【００７７】
図3は、本発明の一実施形態による同期信号ブロックのリソース構造の概略図である。図3は単なる一例であり、本発明の本実施形態に対する制限を構成しないことを理解されたい。
【００７８】
図3に示すように、同期信号とブロードキャストチャネルは、SS  block、言い換えると、NR一次同期信号(NR−PSS)、NR二次同期信号(NR−SSS)、及びNR物理ブロードキャストチャネル(NR−Physical  Broadcast  Channel,  NR−PBCH)を1つのSS  blockで送信される。
【００７９】
本発明の実施形態では、簡略化のために、同期信号ブロック内のNR−PSS、NR−SSS、及びNR−PBCHは、それぞれ、PSS、SSS、及びPBCHと呼ばれる。
【００８０】
さらに、参照信号、例えばPBCH復調参照信号(Demodulation  Reference  Signal,  DMRS)がSS  blockに更に挿入されてよい。
【００８１】
1つ又は複数のSS  blockは、同期信号バースト(SS  burst)を構成してよい。1つ又は複数のSS  burstは、同期信号バーストセット(SS  burst  set)を構成してよい。SS  burst  setは周期的に送信される。言い換えれば、ネットワーク装置は、SS  burst  setを周期的に送信することによってSS  blockを送信し、各SS  burst  setは複数のSS  blockを含む。
【００８２】
ネットワーク装置の省エネルギーのため、ネットワーク装置によるSS  blockを含むSS  burst  setの送信周期はネットワーク側で構成されてよい。例えば、ユーザ数が少ないネットワーク装置では、SS  burst  setの送信周期は160msに構成されてよい。ユーザ数が多いネットワーク装置では、より短いSS  burst  setの送信周期が構成されてよい。
【００８３】
SS  block伝送パラメータは、異なるネットワーク装置によって変化してよい。従って、端末装置が効率的に隣接セル及び隣接周波数の測定を行うことができるようにするためには、端末装置に対して測定ウインドウ及び測定周期が構成される必要がある。これを考慮して、本発明の本実施形態は、測定効率を改善するために、端末装置の測定構成情報のための構成ソリューションを提供する。
【００８４】
図4は、本発明の一実施形態による情報伝送方法の概略フローチャートである。図4に示すネットワーク装置は、上述のネットワーク装置であってよく、端末装置は、上述の端末装置であってよい。もちろん、実際のシステムにおけるネットワーク装置及び端末装置の数は、本実施形態又は他の実施形態の例に限定されるものではなく、以下では詳細を説明しない。
【００８５】
410:  ネットワーク装置は、測定構成情報を決定する。測定構成情報は、少なくとも1つの測定構成パラメータグループを含み、少なくとも1つの測定構成パラメータグループのそれぞれが少なくとも1つのセルに対応し、端末装置によって少なくとも1つのセルの同期信号ブロックを測定するために使用される。識別子(identity)がセルを識別するために使用されてよく、識別子はセル識別子と呼ばれてよいことが理解され得る。セル識別子は、例えば、セル識別子(Cell  ID)、物理セル識別子(Physical  Cell  ID,  略してPCI)、基地局識別子、又はセルを識別するために使用できる任意の情報であり得る。
【００８６】
本発明の本実施形態では、ネットワーク装置は、端末装置の測定構成情報を構成する。測定構成情報は、測定構成パラメータの少なくとも1つのグループを含む。測定構成パラメータは、測定ウインドウ及び測定周期を示してよい。
【００８７】
任意で、各測定構成パラメータグループは、測定ウインドウの時間位置、測定ウインドウの期間、及び測定周期のうちの少なくとも1つを含む。任意で、測定ウインドウの時間位置は、測定ウインドウの開始時間位置であってよく、特定の値は、測定ウインドウに対するサービングセルのタイミングの時間値であってよく、換言すれば、特定の値は、サービングセルのタイミングを参照することによって構成されてよい。
【００８８】
本発明の本実施形態では、1つの測定構成パラメータグループは、少なくとも1つのセルに対応し得る。換言すれば、少なくとも1つのセルは、同じ測定構成パラメータグループを使用する。各セルは通常、セル識別子によって表されるので、1つの測定構成パラメータグループは、少なくとも1つのセルの識別子に対応し得る。
【００８９】
任意で、少なくとも1つのセルはセルグループである。例えば、少なくとも1つのセルは、複数のセルを含み、該セルは、セルグループを構成する。セルグループは、セルグループのセル識別子リストを使用して表され得る。例えば、セルグループは、PCIリストを使用して表現されてよく、又はセルグループ識別子がセルグループに対して定義されてよい。
【００９０】
測定構成パラメータグループは、少なくとも1つのセルの同期信号ブロックの伝送パラメータに関連付けられる。例えば、測定周期は、少なくとも1つのセルの同期信号バーストセット周期に関連付けられてよく、測定ウインドウは、少なくとも1つのセルの同期信号バーストセットに対応する時間領域リソースに関連付けられてよい。
【００９１】
任意で、測定ウインドウは、少なくとも1つのセル内の各セルの少なくとも1つの同期信号バーストセットに対応する時間領域リソースをカバーする。
【００９２】
任意で、測定周期は、少なくとも1つのセルの同期信号バーストセット周期の公倍数、又は少なくとも1つのセルの同期信号バーストセット周期の最大値である。例えば、測定周期は、少なくとも1つのセルの同期信号バーストセット周期の最小公倍数である。
【００９３】
例えば、図5aに示すように、セル1、セル2、及びセル3は、同じ測定構成パラメータグループを使用する。セル1の同期信号バーストセット周期は80msであり、セル2の同期信号バーストセット周期は40msであり、セル3の同期信号バーストセット周期は20msである。このようにして、セル1、セル2、及びセル3に対して、測定周期が80msに構成されてよく、測定ウインドウは、3つのセルのそれぞれの同期信号バーストセットに対応する時間領域リソースをカバーするように構成されてよい。
【００９４】
任意で、各測定構成パラメータグループが複数のセルに対応するとき、複数のセルの間の同期信号バーストセットに対応する時間領域リソースの偏差は、閾値を超えない。換言すれば、複数のセルの同期信号バーストセットに対応する時間領域リソースは、特定の範囲内で整列される。このようにして、測定ウインドウは、複数のセルの同期信号バーストセットに対応する時間領域リソースと整合し得る。
【００９５】
図5aに示すように、3つのセルの同期信号バーストセットに対応する時間領域リソースの偏差は比較的小さい。このように、測定ウインドウの期間は、同期信号バーストセットに対応する時間領域リソース長よりも長くてよい。
【００９６】
任意で、測定ウインドウの期間は、同期信号バーストセットに対応する時間領域リソース長と閾値の2倍との合計であってよい。
【００９７】
例えば、閾値は0.5msであってよく、同期信号バーストセットに対応する時間領域リソース長は5msであり、測定ウインドウの期間は6msであってよい。
【００９８】
任意で、本発明の一実施形態では、少なくとも1つの測定構成パラメータグループは、1つの測定周波数に対応する。換言すれば、1つ又は複数の測定構成パラメータグループは、1つの測定周波数で全てのセルに対して構成されてよい。
【００９９】
任意で、1つの測定構成パラメータグループは、1つの測定周波数で全てのセルに対して構成されてよく、換言すれば、1つの測定ウインドウ及び1つの測定周期は、1つの測定周波数で全てのセルに対して構成される。
【０１００】
従って、1つの測定周波数における全てのセルの同期信号バーストセットに対応する時間領域リソースは、特定の範囲内で整列され、換言すれば、異なるセルの間の同期信号バーストセットに対応する時間領域リソースの偏差は、閾値を超えない。例えば、セルの同期信号バーストセットは、同じ時間範囲内にあるように制限される。このようにして、端末装置は、1つの測定ウインドウ内で測定周波数でセルに対する測定を完了し得る。
【０１０１】
任意で、2つの測定構成パラメータグループが1つの測定周波数で全てのセルに対して構成されてよい。例えば、1つの測定構成パラメータグループは、サービングセルのためのものであり、他の測定構成パラメータグループは、全ての隣接セルのためのものである。
【０１０２】
任意で、複数の測定構成パラメータグループは、1つの測定周波数で全てのセルに対して構成されてよい。各測定構成パラメータグループは、セルグループに対応する。
【０１０３】
任意で、本発明の一実施形態では、測定構成情報は、1つの測定構成パラメータグループを含み、1つの測定構成パラメータグループは、全ての測定周波数に対応する。言い換えると、同じ測定設定パラメータが全ての測定周波数に対して使用される。
【０１０４】
従って、全ての測定周波数におけるセルの同期信号バーストセットに対応する時間領域リソースは、特定の範囲内で整列され、換言すれば、異なるセルの間の同期信号バーストセットに対応する時間領域リソースの偏差は、閾値を超えない。例えば、セルの同期信号バーストセットは、同じ時間範囲内にあるように制限される。このようにして、端末装置は、1つの測定ウインドウ内の複数の測定周波数でセルに対する測定を完了し得る。
【０１０５】
任意で、本発明の一実施形態では、測定構成情報は、複数の測定構成パラメータグループを含み、複数の測定構成パラメータグループにおける異なる測定構成パラメータグループは、異なる測定周波数に対応する。換言すれば、異なる測定構成パラメータが、異なる測定周波数に対して構成されてよい。
【０１０６】
任意で、2つの測定構成パラメータグループが、全ての測定周波数に対して構成されてよい。例えば、1つの測定構成パラメータグループは、サービングセルのためのものであり、他の測定構成パラメータグループは、非サービング周波数のセルとサービング周波数の別のセルのためのものである。
【０１０７】
任意で、異なる周波数に対する測定構成パラメータは、同じ測定周期及び測定ウインドウの異なる時間位置を有してよい。測定ウインドウの時間位置は、サービングセルのタイミングを参照することによって構成されてよい。
【０１０８】
測定を行うとき、端末装置は、周波数シーケンスに従い、周波数の測定ギャップ(measurement  gap)を用いて、同じ周波数のセルに対して一度に測定を行い、周波数で測定を完了した後、他の周波数に切り替えてよい。例えば、図5bに示すように、周波数1について、端末装置は、周波数1のmeasurement  gapに従って周波数1の全てのセルに対して測定を行い、周波数2に切り替えて、周波数2のmeasurement  gapに従って周波数2の全てのセルに対して測定を行う。代替的に、端末装置は、時間シーケンスに従って、異なる測定ウインドウでセルに対して測定を行ってよい。例えば、図5cに示すように、時間シーケンスの中の第1測定ウインドウが周波数1の測定ウインドウであれば、端末装置は、第1の測定ウインドウで周波数1の測定を行い、第2測定ウインドウが周波数2の測定ウインドウであれば、端末装置は、第2の測定ウインドウで測定するために周波数2に切り替える。
【０１０９】
図5b及び図5cは単なる例であり、本発明の本実施形態に対する制限を構成しないことを理解されたい。
【０１１０】
任意で、ネットワーク装置は、(例えば、X2インターフェースを使用することによって)セルの測定ウインドウ及び測定周期に関する情報を交換し、又はセルの同期信号ブロックの伝送パラメータ、例えば、同期信号バーストセット周期及び同期信号バーストセットに対応する時間領域リソース位置を交換してよい。サービングネットワーク装置は、交換された情報に基づいて測定構成情報を決定する。
【０１１１】
420:  ネットワーク装置は、測定設定情報を端末装置に送信する。
【０１１２】
ネットワーク装置は、測定設定情報を端末装置に送信する。これに対応して、端末装置は、測定構成情報に基づいてセル測定を行う。
【０１１３】
任意で、ネットワーク装置は、共通シグナリングを使用して、測定構成情報を端末装置に送信する。
【０１１４】
この方法は、接続モード又はアイドルモードの端末装置に適用可能であってよい。
【０１１５】
例えば、共通シグナリングは、PBCH、残りのシステム情報(remaining  system  information,  RMSI)、又は他のシステム情報(other  system  information,  OSI)であり得る。これは、本発明の本実施形態において限定されない。
【０１１６】
任意で、ネットワーク装置は、専用シグナリングを用いて、測定構成情報を端末装置に送信する。
【０１１７】
この方法は、接続モードの端末装置に適用可能であってよい。
【０１１８】
例えば、専用シグナリングは、無線リソース制御（radio  resource  control,  RRC）専用シグナリングであってよい。これは、本発明の本実施形態において限定されない。
【０１１９】
任意で、専用シグナリングを使用して送信される測定構成情報は、共通シグナリングを使用して送信される測定構成情報を更新するために使用されてよい。
【０１２０】
これに対応して、端末装置は、ネットワーク装置により送信された測定構成情報を専用シグナリングを用いて受信した後、専用シグナリングを用いて受信した測定構成情報に基づき、共通シグナリングを用いて受信した測定構成情報を更新する。
【０１２１】
端末機器は、ネットワーク装置による送信に基づき、対応して受信を行う。端末機器の受信は、ネットワーク装置の送信に対応することを理解されたい。したがって、ここでは、再度、詳細を説明しない。
【０１２２】
430:  端末装置は、測定構成情報に基づいてセル測定を行う。
【０１２３】
端末機器は、ネットワーク装置により送信された測定構成情報を受信した後、測定構成情報に基づき、対応するセルを測定する。
【０１２４】
例えば、対応する測定ウインドウにおいて、端末装置は、対応するセルによって送信された同期信号バーストセット内のSS  block内のNR−SSS及び/又はPBCH−DMRSに対してRSRP/RSPQ測定を実行し、測定結果をサービングセルに報告する。
【０１２５】
任意で、1つの測定構成パラメータグループが、1つの測定周波数で全てのセルに対して構成される。測定周波数における全てのセルの同期信号バーストセットに対応する時間領域リソースは、特定の範囲内で整列される、換言すれば、異なるセルの間の同期信号バーストセットに対応する時間領域リソースの偏差は、閾値を超えない。例えば、セルの同期信号バーストセットは、同じ時間範囲内にあるように制限される。このようにして、端末装置は、1つの測定ウインドウ内で測定周波数でセルに対する測定を完了し得る。
【０１２６】
任意で、同じ測定設定パラメータが全ての測定周波数に対して使用される。測定周波数における全てのセルの同期信号バーストセットに対応する時間領域リソースは、特定の範囲内で整列される、換言すれば、異なるセルの間の同期信号バーストセットに対応する時間領域リソースの偏差は、閾値を超えない。例えば、セルの同期信号バーストセットは、同じ時間範囲内にあるように制限される。このようにして、端末装置は、1つの測定ウインドウ内の複数の測定周波数でセルに対する測定を完了し得る。
【０１２７】
任意で、異なる測定構成パラメータが異なる測定周波数に対して構成される。測定を行うとき、端末装置は、周波数シーケンスに従い、周波数の測定ギャップ(measurement  gap)を用いて、同じ周波数のセルに対して一度に測定を行い、周波数で測定を完了した後、他の周波数に切り替えてよい。例えば、図5bに示すように、周波数1について、端末装置は、周波数1のmeasurement  gapに従って周波数1の全てのセルに対して測定を行い、周波数2に切り替えて、周波数2のmeasurement  gapに従って周波数2で全てのセルに対して測定を行う。代替的に、端末装置は、時間シーケンスに従って、異なる測定ウインドウでセルに対して測定を行ってよい。例えば、図5cに示すように、時間シーケンスの中の第1測定ウインドウが周波数1の測定ウインドウであれば、端末装置は、第1測定ウインドウで周波数1の測定を行い、第2測定ウインドウが周波数2の測定ウインドウであれば、端末装置は、第2測定ウインドウで測定するために周波数2に切り替える。
【０１２８】
本発明の本実施形態では、ネットワーク装置は、ネットワーク装置がダウンリンク参照信号を常に送信する必要がないように、端末装置に対して、同期信号ブロックを測定するための測定構成パラメータを構成する。これは、ネットワーク側のオーバーヘッドを削減し、システムの効率を改善することができる。
【０１２９】
さらに、ネットワーク側が同期信号バーストセットの送信を制御し、その結果、端末装置が1つの測定ウインドウ内で複数のセルに対する測定を完了することができ、端末装置は頻繁に測定を行う必要がない。これは、端末装置のオーバーヘッドを低減し、測定効率を改善する。
【０１３０】
本発明の本実施形態の種々の実施形態は、別々に実施されてよく、又は組み合わせて実施されてよいことが理解されるべきである。これは、本発明の本実施形態において限定されない。
【０１３１】
本発明の本実施形態における特定の実施例は、当業者が本発明の本実施形態をよりよく理解するのを助けるために提供されるが、本発明の本実施形態の範囲を限定するものではないことを理解されたい。
【０１３２】
前述のプロセスのシーケンス番号は、本発明の様々な実施形態における実行シーケンスを意味するものではないことを理解されたい。プロセスの実行シーケンスは、プロセスの機能及び内部論理に従って決定されるべきであり、本発明の実施形態の実施プロセスに対する制限として解釈されるべきではない。
【０１３３】
以上、本発明の本実施形態による情報伝送方法について詳細に説明した。以下、本発明の一実施形態による情報伝送機器を説明する。
【０１３４】
図6は、本発明の一実施形態による情報伝送機器600の概略ブロック図である。機器600はネットワーク装置であってよい。
【０１３５】
機器600は、前述の方法の実施形態におけるネットワーク装置に対応してよく、方法におけるネットワーク装置の任意の機能を有してよいことを理解されたい。
【０１３６】
図6に示される機器600は、プロセッサ610及びトランシーバ620を含む。
【０１３７】
プロセッサ610は、測定構成情報を決定するように構成される。測定構成情報は、少なくとも1つの測定構成パラメータグループを含み、少なくとも1つの測定構成パラメータグループの各々は、少なくとも1つのセルに対応し、端末装置によって、少なくとも1つのセルの同期信号ブロックを測定するために使用される。
【０１３８】
トランシーバ620は、測定構成情報を端末装置に送信するように構成される。
【０１３９】
本発明の本実施形態では、ネットワーク装置は、ネットワーク装置がダウンリンク参照信号を常に送信する必要がないように、端末装置に対して、同期信号ブロックを測定するための測定構成パラメータを構成する。これは、ネットワーク側のオーバーヘッドを削減し、システムの効率を改善することができる。
【０１４０】
任意で、本発明の1つの実施形態において、少なくとも1つのセルはセルグループである。
【０１４１】
任意で、本発明の一実施形態では、各測定構成パラメータグループは、少なくとも1つのセルの同期信号ブロックの伝送パラメータに関連付けられる。
【０１４２】
任意で、本発明の一実施形態では、各測定構成パラメータグループは、測定ウインドウの時間位置、測定ウインドウの期間、及び測定周期のうちの少なくとも1つを含む。
【０１４３】
任意で、本発明の一実施形態では、測定ウインドウは、少なくとも1つのセル内の各セルの少なくとも1つの同期信号バーストセットに対応する時間領域リソースをカバーし、及び／又は測定周期は、少なくとも1つのセルの同期信号バーストセット周期の公倍数、又は少なくとも1つのセルの同期信号バーストセット周期の最大値である。
【０１４４】
任意で、本発明の一実施形態では、各測定構成パラメータグループは、複数のセルに対応し、複数のセルの間の同期信号バーストセットに対応する時間領域リソースの偏差は、閾値を超えない。
【０１４５】
任意で、本発明の一実施形態では、少なくとも1つの測定構成パラメータグループは、1つの測定周波数に対応する。
【０１４６】
任意で、本発明の一実施形態では、測定構成情報は、1つの測定構成パラメータグループを含み、1つの測定構成パラメータグループは、全ての測定周波数に対応する。
【０１４７】
任意で、本発明の一実施形態では、測定構成情報は、複数の測定構成パラメータグループを含み、複数の測定構成パラメータグループにおける異なる測定構成パラメータグループは、異なる測定周波数に対応する。
【０１４８】
任意で、本発明の一実施形態では、トランシーバ620は、共通シグナリングを使用することによって、測定構成情報を端末装置に送信するように構成される。
【０１４９】
任意で、本発明の一実施形態では、共通シグナリングは、物理ブロードキャストチャネルPBCH、残りのシステム情報RMSI、又は他のシステム情報OSIを含む。
【０１５０】
任意で、本発明の一実施形態では、トランシーバ620は、専用シグナリングを使用することによって、測定構成情報を端末装置に送信するように構成される。
【０１５１】
任意で、本発明の一実施形態では、専用シグナリングは、無線リソース制御RRC専用シグナリングを含む。
【０１５２】
任意で、本発明の一実施形態では、専用シグナリングを使用して送信される測定構成情報は、共通シグナリングを使用して送信される測定構成情報を更新するために使用される。
【０１５３】
本発明の本実施形態では、ネットワーク側が同期信号バーストセットの送信を制御する。その結果、端末装置が1つの測定ウインドウで複数のセルに対する測定を完了でき、端末装置は頻繁に測定を行う必要がない。これは、端末装置のオーバーヘッドを低減し、測定効率を改善する。
【０１５４】
図7は、本発明の別の実施形態による情報伝送機器700の概略ブロック図である。機器700は、端末装置であってよい。
【０１５５】
機器700は、前述の方法の実施形態における端末装置に対応してよく、方法における端末装置の任意の機能を有してよいことを理解されたい。
【０１５６】
図7に示す機器700は、プロセッサ710及びトランシーバ720を含む。
【０１５７】
トランシーバ720は、ネットワーク装置によって送信される測定構成情報を受信するように構成される。測定構成情報は、少なくとも1つの測定構成パラメータグループを含み、少なくとも1つの測定構成パラメータグループのそれぞれは、少なくとも1つのセルに対応し、少なくとも1つのセルの同期信号ブロックを測定するために使用される。
【０１５８】
プロセッサ710は、測定構成情報に基づいてセル測定を実行するように構成される。
【０１５９】
本発明の本実施形態では、ネットワーク装置は、ネットワーク装置がダウンリンク参照信号を常に送信する必要がないように、端末装置に対して、同期信号ブロックを測定するための測定構成パラメータを構成する。これは、ネットワーク側のオーバーヘッドを削減し、システムの効率を改善することができる。
【０１６０】
任意で、本発明の一実施形態において、少なくとも1つのセルはセルグループである。
【０１６１】
任意で、本発明の一実施形態では、各測定構成パラメータグループは、少なくとも1つのセルの同期信号ブロックの伝送パラメータに関連付けられる。
【０１６２】
任意で、本発明の一実施形態では、各測定構成パラメータグループは、測定ウインドウの時間位置、測定ウインドウの期間、及び測定周期のうちの少なくとも1つを含む。
【０１６３】
任意で、本発明の一実施形態では、測定ウインドウは、少なくとも1つのセル内の各セルの少なくとも1つの同期信号バーストセットに対応する時間領域リソースをカバーし、及び／又は測定周期は、少なくとも1つのセルの同期信号バーストセット周期の公倍数、又は少なくとも1つのセルの同期信号バーストセット周期の最大値である。
【０１６４】
任意で、本発明の一実施形態では、各測定構成パラメータグループは、複数のセルに対応し、複数のセルの間の同期信号バーストセットに対応する時間領域リソースの偏差は、閾値を超えない。
【０１６５】
任意で、本発明の一実施形態では、少なくとも1つの測定構成パラメータグループは、1つの測定周波数に対応する。
【０１６６】
任意で、本発明の一実施形態では、測定構成情報は、1つの測定構成パラメータグループを含み、1つの測定構成パラメータグループは、全ての測定周波数に対応する。
【０１６７】
任意で、本発明の一実施形態では、測定構成情報は、複数の測定構成パラメータグループを含み、複数の測定構成パラメータグループにおける異なる測定構成パラメータグループは、異なる測定周波数に対応する。
【０１６８】
任意で、本発明の一実施形態では、トランシーバ720は、ネットワーク装置により送信される測定構成情報を、共通シグナリングを用いて受信するように構成される。
【０１６９】
任意で、本発明の一実施形態では、共通シグナリングは、物理ブロードキャストチャネルPBCH、残りのシステム情報RMSI、又は他のシステム情報OSIを含む。
【０１７０】
任意で、本発明の一実施形態では、トランシーバ720は、専用シグナリングを使用することによって、ネットワーク装置によって送信される測定構成情報を受信するように構成される。
【０１７１】
任意で、本発明の一実施形態では、専用シグナリングは、無線リソース制御RRC専用シグナリングを含む。
【０１７２】
任意で、本発明の一実施形態では、プロセッサ710は、専用シグナリングを使用して受信した測定構成情報に基づいて、共通シグナリングを使用して受信した測定構成情報を更新するように構成される。
【０１７３】
本発明の本実施形態では、ネットワーク側が同期信号バーストセットの送信を制御する。その結果、端末装置は1つの測定ウインドウで複数のセルに対する測定を完了でき、端末装置は頻繁に測定を行う必要がない。これは、端末装置のオーバーヘッドを低減し、測定効率を改善する。
【０１７４】
本発明の実施形態におけるプロセッサ610又はプロセッサ710は、処理ユニット又はチップを使用することによって実装されてよいことを理解されたい。任意で、処理ユニットは、実装中に複数のユニットを含んでよい。
【０１７５】
本発明の実施形態におけるトランシーバ620又はトランシーバ720は、トランシーバユニット又はチップを使用することによって実装されてよいことを理解されたい。任意で、トランシーバ620又はトランシーバ720は、送信機又は受信機を含んでよく、又は送信ユニット又は受信ユニットを含んでよい。
【０１７６】
本発明の実施形態におけるプロセッサ610及びトランシーバ620は、チップを使用することによって実装されてよく、プロセッサ710及びトランシーバ720は、チップを使用することによって実装されてよいことを理解されたい。
【０１７７】
任意で、ネットワーク装置又は端末装置は、メモリをさらに含んでよい。メモリは、プログラムコードを記憶してよく、プロセッサは、ネットワーク装置又は端末装置の対応する機能を実現するために、メモリに記憶されたプログラムコードを呼び出す。任意で、プロセッサ及びメモリは、チップを使用して実装されてよい。
【０１７８】
本発明の一実施形態は、さらに、プロセッサ及びインターフェースを含む処理機器を提供する。
【０１７９】
プロセッサは、本発明の前述の実施形態における方法を実行するように構成される。
【０１８０】
処理機器はチップであってよい。プロセッサは、ハードウェア又はソフトウェアを使用して実装されてよい。プロセッサがハードウェアを使用して実装されるとき、プロセッサは、論理回路、集積回路などであってよい。プロセッサがソフトウェアを用いて実装されるとき、プロセッサは、メモリに記憶されたソフトウェアコードを読み出すことによって実現される汎用プロセッサであってよい。メモリは、プロセッサに統合されてよく、又はスタンドアローンであって、プロセッサの外側に配置されてよい。
【０１８１】
例えば、処理機器は、フィールドプログラマブルゲートアレイ(Field−Programmable  Gate  Array,  FPGA)、又は特定用途向け集積チップ(Application  Specific  Integrated  Circuit,  ASIC)であってよく、又はシステムオンチップ(System  on  Chip,  SoC)、中央処理ユニット(Central  Processor  Unit,  CPU)、ネットワークプロセッサ(Network  Processor,  NP)、ディジタル信号プロセッサ(Digital  Signal  Processor,  DSP)、又はマイクロコントローラ(Micro  Controller  Unit,  MCU)であってよく、又はプログラマブル論理素子（Programmable  Logic  Device,  PLD）又は別の集積チップであってよい。
【０１８２】
本発明の一実施形態は、さらに、前述のネットワーク装置の実施形態におけるネットワーク装置及び前述の端末装置の実施形態における端末装置を含む通信システムを提供する。
【０１８３】
前述の実施形態の全部又は一部は、ソフトウェア、ハードウェア、ファームウェア、又はそれらの任意の組み合わせによって実装されてよい。ソフトウェアを使用して実施形態を実施するとき、実施形態は、コンピュータプログラムプロダクトの形態で完全に又は部分的に実装されてよい。コンピュータプログラムプロダクトは、1つ以上のコンピュータ命令を含む。コンピュータプログラム命令がロードされ、コンピュータ上で実行されると、本発明の実施形態による手順又は機能は、全部又は部分的に生成される。コンピュータは、汎用コンピュータ、専用コンピュータ、コンピュータネットワーク、又は他のプログラム可能な装置であってよい。コンピュータ命令は、コンピュータ可読記憶媒体に記憶されてよく、又はコンピュータ可読記憶媒体から別のコンピュータ可読記憶媒体に送信されてよい。例えば、コンピュータ命令は、ウェブサイト、コンピュータ、サーバ、又はデータセンターから、有線(例えば、同軸ケーブル、光ファイバ、又はデジタル加入者線（DSL）)又は無線(例えば、赤外線、無線、及びマイクロ波など)の方法で、別のウェブサイト、コンピュータ、サーバ、又はデータセンターに送信されてよい。コンピュータ可読記憶媒体は、コンピュータによってアクセス可能な任意の使用可能な媒体、又は1つ以上の使用可能な媒体を統合するサーバ又はデータセンターなどのデータ記憶装置であってよい。使用可能媒体は、磁気媒体(例えば、ソフトディスク、ハードディスク、又は磁気テープ)、光媒体(例えば、DVD)、半導体媒体(例えば、固体ディスク(Solid  State  Disk、SSD))などであってよい。
【０１８４】
本発明の実施形態における用語「及び／又は」は、関連するオブジェクトを記述するための関連付け関係のみを記述し、3つの関係が存在し得ることを表すことは理解されるべきである。例えば、A及び／又はBは、Aのみが存在する、A及びBの両方が存在する、Bのみが存在するという3つの場合を表す。さらに、本明細書の文字「/」は、一般に関連するオブジェクト間の「又は」の関係を示す。
【０１８５】
当業者は、本明細書に開示された実施形態に記載された実施例と組み合わせて、ユニット及びアルゴリズムステップが、電子ハードウェア又はコンピュータソフトウェアと電子ハードウェアの組み合わせによって実施されてよいことを認識し得る。機能がハードウェア又はソフトウェアによって実行されるかどうかは、特定のアプリケーション及び技術的ソリューションの設計制約条件に依存する。当業者は、特定の用途毎に、記載の機能を実現するために異なる方法を使用してよいが、その実現が本発明の範囲を超えるものであると考えるべきではない。
【０１８６】
前述のシステム、機器、及びユニットの詳細な動作プロセスについて、便宜的かつ簡単な説明のために、前述の方法の実施形態における対応するプロセスを参照してよいことが当業者により理解され得る。詳細については、ここでは再度説明しない。
【０１８７】
本願で提供されるいくつかの実施形態では、開示されたシステム、機器、及び方法は、他の方法で実施されてよいことを理解されたい。例えば、記載された機器の実施形態は、単なる一例である。例えば、ユニット分割は、単なる論理的機能分割であり、実際の実装においては他の分割であってよい。例えば、複数のユニット又は構成要素は、別のシステムに結合又は統合されてよく、或いはいくつかの特徴は、無視され或いは実行されなくてよい。加えて、表示又は説明された相互結合、直接結合、又は通信接続は、いくつかのインターフェースを使用することによって実現されてよい。機器又はユニット間の間接的結合又は通信接続は、電気的、機械的、又は他の形態で実施されてよい。
【０１８８】
別個の部分として記載されるユニットは、物理的に分離されてよく又はそうでなくてよい。ユニットとして表示される部分は、物理的ユニットであってよく又はそうでなくてよく、1つの位置に配置されてよく、又は複数のネットワークユニットに分散されてよい。ユニットの一部又は全部は、実施形態のソリューションの目的を達成するために、実際の要件に従って選択されてよい。
【０１８９】
さらに、本発明の実施形態における機能ユニットは、1つの処理ユニットに統合されてよく、又は各ユニットは、物理的に単独で存在してよく、又は2つ以上のユニットが1つのユニットに統合される。
【０１９０】
機能がソフトウェア機能ユニットの形態で実装され、独立した製品として販売又は使用されるとき、機能は、コンピュータ可読記憶媒体に記憶されてよい。このような理解に基づいて、基本的に本発明の技術的ソリューション、又は先行技術に寄与する部分、又は技術的ソリューションのいくつかは、ソフトウェア製品の形態で実施されてよい。コンピュータソフトウェア製品は、記憶媒体に記憶され、本発明の実施形態に記載の方法のステップの全部又は一部を実行するようにコンピュータ装置(パーソナルコンピュータ、サーバ、又はネットワーク装置であってよい)に指示するための幾つかの命令を含む。前述の記憶媒体は、USBフラッシュドライブ、リムーバブルハードディスク、読み出し専用メモリ（Read−Only  Memory,  ROM）、ランダムアクセスメモリ（Random  Access  Memory,  RAM）、磁気ディスク、又は光ディスクのようなプログラムコードを記憶することができる任意の媒体を含む。
【０１９１】
前述の説明は、単に本発明の具体的な実装であるが、本発明の保護範囲を限定することを意図したものではない。本発明で開示された技術的範囲内で当業者により直ちに考案される任意の変更又は代替は、本発明の保護範囲に含まれるものとする。したがって、本発明の保護範囲は、請求項の保護範囲に従うものとする。
【図１】
2020523925.tif 000003
【図２】
2020523925.tif 000004
【図３】
2020523925.tif 000005
【図４】
2020523925.tif 000006
【図５ａ】
2020523925.tif 000007
【図５ｂ】
2020523925.tif 000008
【図５ｃ】
2020523925.tif 000009
【図６】
2020523925.tif 000010
【図７】
2020523925.tif 000011
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
情報伝送方法であって、
ネットワーク装置によって送信される測定構成情報を受信するステップであって、前記測定構成情報は、少なくとも1つの測定構成パラメータグループを含み、前記少なくとも1つの測定構成パラメータグループは、少なくとも1つのセルグループに対して使用され、前記少なくとも１つのセルグループの各々は、１又は複数のセルを含む、ステップと、
前記測定構成情報に基づいて同期信号ブロックを測定するステップと、
を含む方法。
【請求項２】
情報伝送方法であって、
同期信号ブロック測定に使用される測定構成情報を決定するステップであって、前記測定構成情報は、少なくとも1つの測定構成パラメータグループを含み、前記少なくとも1つの測定構成パラメータグループは、少なくとも1つのセルグループに対して使用され、前記少なくとも１つのセルグループの各々は、１又は複数のセルを含む、ステップと、
前記測定構成情報を端末装置に送信するステップと、
を含む方法。
【請求項３】
前記少なくとも1つの測定構成パラメータグループが、少なくとも1つのセルグループに対して使用されることは、
1つの測定構成パラメータグループが1つのセルグループに対して使用されること、
複数の測定構成パラメータグループが1つのセルグループに対して使用されること、又は、
1つの測定構成パラメータグループが複数のセルグループに対して使用されること、
を含む、請求項1又は2に記載の方法。
【請求項４】
前記1つの測定構成パラメータグループは、1つの測定周波数に対応する、又は、
前記複数の測定構成パラメータグループは、1つの測定周波数に対応する、又は、
前記1つの測定構成パラメータグループは、複数の測定周波数に対応する、
請求項1〜3のいずれか一項に記載の方法。
【請求項５】
前記セルグループが1つ又は複数のセルを含む、請求項1〜4のいずれか一項に記載の方法。
【請求項６】
前記複数のセルの間の同期信号バーストセットに対応する時間領域リソースの偏差が閾値を超えない、請求項5に記載の方法。
【請求項７】
各測定構成パラメータグループは、測定ウインドウの時間位置、前記測定ウインドウの期間、及び測定周期を含む、請求項1〜6のいずれか一項に記載の方法。
【請求項８】
各測定構成パラメータグループは、測定ウインドウの開始時間、前記測定ウインドウの期間、及び測定周期を含む、請求項1〜7のいずれか一項に記載の方法。
【請求項９】
各測定構成パラメータグループは、測定ウインドウとサービングセルのタイミングとの間の時間差、期間、及び測定周期を含む、請求項1〜8のいずれか一項に記載の方法。
【請求項１０】
各測定構成パラメータグループは、測定ギャップをさらに含み、異なる測定ギャップは、異なる測定周波数に対応する、請求項1〜9のいずれか一項に記載の方法。
【請求項１１】
各測定構成パラメータグループは、セルの同期信号ブロックの伝送パラメータと関連付けられる、請求項1〜10のいずれか一項に記載の方法。
【請求項１２】
各測定構成パラメータグループに対応する測定ウインドウは、セルの同期信号バーストセットに対応する時間領域リソースに関連付けられる、請求項1〜11のいずれか一項に記載の方法。
【請求項１３】
前記測定構成情報に含まれる測定周期は、セルの同期信号バーストセット周期に関連付けられる、請求項1〜12のいずれか一項に記載の方法。
【請求項１４】
前記測定構成情報に含まれる測定周期は、前記セルグループ内のセルの同期信号バーストセット周期の公倍数、又は、前記セルグループ内のセルの同期信号バーストセット周期の最大値である、請求項1〜13のいずれか一項に記載の方法。
【請求項１５】
プロセッサとトランシーバとを含む情報伝送機器であって、
前記トランシーバは、ネットワーク装置によって送信される測定構成情報を受信するように構成され、前記測定構成情報は、少なくとも1つの測定構成パラメータグループを含み、前記少なくとも1つの測定構成パラメータグループは、少なくとも1つのセルグループに対して使用され、前記少なくとも１つのセルグループの各々は、１又は複数のセルを含み、
前記プロセッサは、前記測定構成情報に基づいて同期信号ブロックを測定するように構成される、
機器。
【請求項１６】
プロセッサとトランシーバとを含む情報伝送機器であって、
前記プロセッサは、同期信号ブロック測定に使用される測定構成情報を決定するように構成され、前記測定構成情報は、少なくとも1つの測定構成パラメータグループを含み、前記少なくとも1つの測定構成パラメータグループは、少なくとも1つのセルグループに対して使用され、前記少なくとも１つのセルグループの各々は、１又は複数のセルを含み、
前記トランシーバは、前記測定構成情報を端末装置に送信するように構成される、
機器。
【請求項１７】
前記少なくとも1つの測定構成パラメータグループが、少なくとも1つのセルグループについて使用されることは、
1つの測定構成パラメータグループが1つのセルグループに対して使用されること、
複数の測定構成パラメータグループが1つのセルグループに対して使用されること、又は、
1つの測定構成パラメータグループが複数のセルグループに対して使用されること、
を含む、請求項15又は16に記載の機器。
【請求項１８】
前記1つの測定構成パラメータグループは、1つの測定周波数に対応する、又は、
前記複数の測定構成パラメータグループは、1つの測定周波数に対応する、又は、
前記1つの測定構成パラメータグループは、複数の測定周波数に対応する、
請求項15〜17のいずれか一項に記載の機器。
【請求項１９】
前記セルグループが1つ又は複数のセルを含む、請求項15〜18のいずれか一項に記載の機器。
【請求項２０】
前記複数のセルの間の同期信号バーストセットに対応する時間領域リソースの偏差が閾値を超えない、請求項19に記載の機器。
【請求項２１】
各測定構成パラメータグループは、測定ウインドウの時間位置、前記測定ウインドウの期間、及び測定周期を含む、請求項15〜20のいずれか一項に記載の機器。
【請求項２２】
各測定構成パラメータグループは、測定ウインドウの開始時間、前記測定ウインドウの期間、及び測定周期を含む、請求項15〜21のいずれか一項に記載の機器。
【請求項２３】
各測定構成パラメータグループは、測定ウインドウとサービングセルのタイミングとの時間差、期間、及び測定周期を含む、請求項15〜22のいずれか一項に記載の機器。
【請求項２４】
各測定構成パラメータグループは、測定ギャップをさらに含み、異なる測定ギャップは、異なる測定周波数に対応する、請求項15〜23のいずれか一項に記載の機器。
【請求項２５】
各測定構成パラメータグループは、セルの同期信号ブロックの伝送パラメータに関連付けられる、請求項15〜24のいずれか一項に記載の機器。
【請求項２６】
各測定構成パラメータに対応する測定ウインドウは、セルの同期信号バーストセットに対応する時間領域リソースに関連付けられる、請求項15〜25のいずれか一項に記載の機器。
【請求項２７】
前記測定構成情報に含まれる測定周期は、セルの同期信号バーストセット周期と関連付けられる、請求項15〜26のいずれか一項に記載の機器。
【請求項２８】
前記測定構成情報に含まれる測定周期は、前記セルグループ内のセルの同期信号バーストセット周期の公倍数、又は、前記セルグループ内のセルの同期信号バーストセット周期の最大値である、請求項15〜27のいずれか一項に記載の機器。
【請求項２９】
コンピュータ記憶媒体であって、前記コンピュータ記憶媒体はプログラムコードを記憶し、前記プログラムコードは、請求項1〜14のいずれか一項に記載の方法を実行するように指示するために使用される、コンピュータ記憶媒体。
【請求項３０】
チップであって、前記チップは、プロセッサとインターフェースとを含み、命令が前記プロセッサによって実行されると、前記チップが請求項1〜14のいずれか一項に記載の方法を実行するように構成される、チップ。
【請求項３１】
コンピュータプログラムであって、前記コンピュータプログラムは命令を含み、前記命令がコンピュータ上で実行されると、前記コンピュータが請求項1〜14のいずれか一項に記載の方法を実行する、コンピュータプログラム。
【手続補正２】
【補正対象書類名】明細書
【補正対象項目名】００８６
【補正方法】変更
【補正の内容】
【００８６】
本発明の本実施形態では、ネットワーク装置は、端末装置の測定構成情報を構成する。測定構成情報は、測定構成パラメータの少なくとも1つのグループを含む。該少なくとも１つの測定構成パラメータグループは、測定ウインドウ及び測定周期を示してよい。
【手続補正３】
【補正対象書類名】明細書
【補正対象項目名】００９０
【補正方法】変更
【補正の内容】
【００９０】
少なくとも１つの測定構成パラメータグループは、少なくとも1つのセルの同期信号ブロックの伝送パラメータに関連付けられる。例えば、測定周期は、少なくとも1つのセルの同期信号バーストセット周期に関連付けられてよく、測定ウインドウは、少なくとも1つのセルの同期信号バーストセットに対応する時間領域リソースに関連付けられてよい。
【手続補正４】
【補正対象書類名】図面
【補正対象項目名】図７
【補正方法】変更
【補正の内容】
【図７】
2020523925.tif 000012
【国際調査報告】
2020523925.tif 000013
2020523925.tif 000014
2020523925.tif 000015
2020523925.tif 000016